【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
端末であって、
生成モジュールであって、前記端末のデータ処理がダウンリンクサブフレームから隣接するアップリンクサブフレームに切り替わるときに、第1のガード期間を生成し、前記第1のガード期間は1ミリ秒以上である、ように構成された生成モジュールと、
前記第1のガード期間内では信号の処理をスキップするようにさらに構成された処理モジュールとを備える端末。
【請求項２】
前記第1のガード期間が1ミリ秒を超えるときに、前記第1のガード期間は、前記ダウンリンクサブフレームおよび前記ダウンリンクサブフレームの直前の第1のダウンリンクサブフレームの最後の部分と重なり合い、
処理モジュールは、前記ダウンリンクサブフレームおよび前記第1のダウンリンクサブフレームの前記最後の部分におけるダウンリンク信号の受信をスキップするように構成される請求項1に記載の端末。
【請求項３】
前記第1のガード期間が1ミリ秒を超えるときに、前記第1のガード期間は、前記ダウンリンクサブフレームおよび前記ダウンリンクサブフレームの直前のアップリンクサブフレームの最後の部分と重なり合い、
処理モジュールは、前記ダウンリンクサブフレームにおけるダウンリンク信号の受信をスキップし、前記ダウンリンクサブフレームの直前の前記アップリンクサブフレームの前記最後の部分におけるアップリンク信号の送信をスキップするように構成される請求項1に記載の端末。
【請求項４】
前記第1のガード期間が1ミリ秒に等しいときに、前記第1のガード期間は、前記ダウンリンクサブフレームと重なり合い、前記処理モジュールは、
前記ダウンリンクサブフレームにおけるダウンリンク信号の受信をスキップするように構成される請求項1に記載の端末。
【請求項５】
前記プロセッサは、
ラウンドトリップタイムおよび第1の切り替え時間に従って前記第1のガード期間を生成するように構成され、前記第1の切り替え時間は、周波数調整時間および電力調整時間を含み、前記周波数調整時間は、前記端末の発振器によるダウンリンク周波数からアップリンク周波数への切り替えのための調整時間であり、前記電力調整時間は、前記端末により電力を0からアップリンク送信電力まで調整するための調整時間である請求項1から4のいずれか一項に記載の端末。
【請求項６】
前記第1のガード期間は、前記ラウンドトリップタイムと前記第1の切り替え時間との総和以下である請求項5に記載の端末。
【請求項７】
前記プロセッサは、前記ラウンドトリップタイムおよび前記第1の切り替え時間を追加し、前記第1のガード期間を取得する、ように構成される請求項5に記載の端末。
【請求項８】
前記端末は、前記ダウンリンクサブフレームにおいて前記基地局によってスケジュールされない請求項1に記載の端末。
【請求項９】
基地局であって、
決定モジュールであって、端末のデータ処理がダウンリンクサブフレームから隣接するアップリンクサブフレームに切り替わるときに、前記端末によって生成された第1のガード期間が前記ダウンリンクサブフレームと重なり合うと決定し、前記第1のガード期間は1ミリ秒以上である、ように構成された決定モジュールと、
スケジューリング構成モジュールであって、前記ダウンリンクサブフレームにおける前記端末のスケジューリングをスキップするように前記基地局を構成する、または前記ダウンリンクサブフレームにおける前記端末のスケジューリング優先度を最低レベルに設定する、ように構成されたスケジューリング構成モジュールとを備える基地局。
【請求項１０】
半二重周波数分割複信通信方法であって、
端末のデータ処理がダウンリンクサブフレームから隣接するアップリンクサブフレームに切り替わるときに、前記端末によって、第1のガード期間を生成するステップであって、前記第1のガード期間は1ミリ秒以上である、ステップと、
前記端末によって、前記第1のガード期間内では信号の処理をスキップするステップとを含む半二重周波数分割複信通信方法。
【請求項１１】
前記第1のガード期間が1ミリ秒を超えるときに、前記第1のガード期間は、前記ダウンリンクサブフレームおよび前記ダウンリンクサブフレームの直前の第1のダウンリンクサブフレームの最後の部分と重なり合い、前記端末によって、前記第1のガード期間内では信号の処理をスキップする前記ステップは、
前記端末によって、前記ダウンリンクサブフレームおよび前記第1のダウンリンクサブフレームの前記最後の部分におけるダウンリンク信号の受信をスキップするステップを含む請求項10に記載の方法。
【請求項１２】
前記第1のガード期間が1ミリ秒を超えるときに、前記第1のガード期間は、前記ダウンリンクサブフレームおよび前記ダウンリンクサブフレームの直前のアップリンクサブフレームの最後の部分と重なり合い、前記端末によって、前記第1のガード期間内では信号の処理をスキップする前記ステップは、
前記端末によって、前記ダウンリンクサブフレームにおけるダウンリンク信号の受信をスキップするステップと、前記ダウンリンクサブフレームの直前の前記アップリンクサブフレームの前記最後の部分におけるアップリンク信号の送信をスキップするステップとを含む請求項10に記載の方法。
【請求項１３】
前記第1のガード期間が1ミリ秒に等しいときに、前記第1のガード期間は、前記ダウンリンクサブフレームと重なり合い、前記端末によって、前記第1のガード期間内では信号の処理をスキップする前記ステップは、
前記端末によって、前記ダウンリンクサブフレームにおけるダウンリンク信号の受信をスキップするステップを含む請求項10に記載の方法。
【請求項１４】
前記端末によって、第1のガード期間を生成する前記ステップは、
前記端末によって、ラウンドトリップタイムおよび第1の切り替え時間に従って前記第1のガード期間を生成するステップであって、前記第1の切り替え時間は、周波数調整時間および電力調整時間を含み、前記周波数調整時間は、前記端末の発振器によるダウンリンク周波数からアップリンク周波数への切り替えのための調整時間であり、前記電力調整時間は、前記端末により電力を0からアップリンク送信電力まで調整するための調整時間である、ステップを含む請求項10から13のいずれか一項に記載の方法。
【請求項１５】
前記第1のガード期間は、前記ラウンドトリップタイムと前記第1の切り替え時間との総和以下である請求項14に記載の方法。
【請求項１６】
前記端末によって、ラウンドトリップタイムおよび第1の切り替え時間に従って前記第1のガード期間を生成する前記ステップは、
前記端末によって、前記ラウンドトリップタイムおよび前記第1の切り替え時間を追加し、前記第1のガード期間を取得するステップを含む請求項14に記載の方法。
【請求項１７】
前記端末は、前記ダウンリンクサブフレームにおいて前記基地局によってスケジュールされない請求項10から16のいずれか一項に記載の方法。
【請求項１８】
半二重周波数分割複信通信方法であって、
端末のデータ処理がダウンリンクサブフレームから隣接するアップリンクサブフレームに切り替わるときに、基地局によって、前記端末によって生成された第1のガード期間が前記ダウンリンクサブフレームと重なり合うと決定するステップであって、前記第1のガード期間は1ミリ秒以上である、ステップと、
前記基地局によって、前記ダウンリンクサブフレームにおける前記端末のスケジューリングをスキップするステップ、または前記ダウンリンクサブフレームにおける前記端末のスケジューリング優先度を最低レベルに設定するステップとを含む半二重周波数分割複信通信方法。
【手続補正２】
【補正対象書類名】明細書
【補正対象項目名】０００１
【補正方法】変更
【補正の内容】
【０００１】
本発明の実施形態は、通信技術に関するものであり、特に、半二重周波数分割複信(FDD)通信方法、基地局、および端末に関するものである。
【手続補正３】
【補正対象書類名】明細書
【補正対象項目名】００８７
【補正方法】変更
【補正の内容】
【００８７】
本発明の実施形態の目的、技術的解決策、および利点をよりわかりやすくするために、以下では、本発明の実施形態の添付図面を参照しつつ本発明の実施形態における技術的解決策をわかりやすく説明する。明らかに、説明されている実施形態は、本発明の実施形態の一部であってすべてではない。創造的労力を費やすことなく本発明の実施形態に基づいて当業者が得る他のすべての実施形態は、本発明の保護の範囲内に収まるものとする。
【手続補正４】
【補正対象書類名】明細書
【補正対象項目名】０１２８
【補正方法】変更
【補正の内容】
【０１２８】
第5の場合において、第2のガード期間は1ミリ秒よりも大きく、または等しく、第2のガード期間は、アップリンクサブフレームおよびアップリンクサブフレームの直前の隣接するアップリンクサブフレームと重なり合う、または第2のガード期間は、ダウンリンクサブフレームおよびダウンリンクサブフレームの直後の隣接するダウンリンクサブフレームと重なり合う。処理モジュール52は、アップリンクサブフレームおよびアップリンクサブフレームの直前の隣接するアップリンクサブフレームにおけるアップリンク信号の送信をスキップし、基地局は、アップリンクサブフレームにおいて端末をスケジュールし得ない、またはダウンリンクサブフレームおよびダウンリンクサブフレームの直後の隣接するダウンリンクサブフレームにおけるダウンリンク信号の受信をスキップし、基地局は、ダウンリンクサブフレームにおいて端末をスケジュールし得ない、ように特に構成される。
【手続補正５】
【補正対象書類名】明細書
【補正対象項目名】０１４１
【補正方法】変更
【補正の内容】
【０１４１】
第2のガード期間の値は、1ミリ秒よりも短い値、1ミリ秒に等しい値、および1ミリ秒よりも長い値の3つの値をとり得る。第2のガード期間が1ミリ秒未満であるときに、第2のガード期間はアップリンクサブフレームの最後の部分と重なり合い、アップリンクサブフレームの最後の部分は、第2のガード期間とアップリンクサブフレームとの間の重なり合う部分である、または第2のガード期間は、ダウンリンクサブフレームの最初の部分と重なり合い、ダウンリンクサブフレームの最初の部分は、第2のガード期間とダウンリンクサブフレームとの間の重なり合う部分である。第2のガード期間が1ミリ秒に等しいときに、第2のガード期間は、アップリンクサブフレームと重なり合う、またはダウンリンクサブフレームと重なり合う。第2のガード期間は1ミリ秒よりも大きく、または等しいときに、第2のガード期間は、アップリンクサブフレームおよびアップリンクサブフレームの直前の隣接するアップリンクサブフレームと重なり合う、または第2のガード期間は、ダウンリンクサブフレームおよびダウンリンクサブフレームの直後の隣接するダウンリンクサブフレームと重なり合う。
【手続補正６】
【補正対象書類名】明細書
【補正対象項目名】０１５１
【補正方法】変更
【補正の内容】
【０１５１】
第1の場合において、第1のガード期間は、1ミリ秒よりも長い。第1のガード期間が、1ミリ秒よりも長い場合、ラウンドトリップタイムおよび第1の切り替え時間に従って第1のガード期間を生成するステップは、特に以下のとおりである。一実装方式では、ラウンドトリップタイムが第1の切り替え時間と重なり合わない場合に、端末は、ラウンドトリップタイムと第1の切り替え時間との総和を第1のガード期間として使用し、別の実装方式では、ラウンドトリップタイムが第1の切り替え時間と部分的に重なり合う場合に、端末によって生成される第1のガード期間は、ラウンドトリップタイムと第1の切り替え時間との総和よりも小さく、端末は、第1の切り替え時間とラウンドトリップタイムとの間の重なり合う時間を第1の切り替え時間とラウンドトリップタイムとの総和から差し引くことによって得られる差を第1のガード期間として使用し得る。
【手続補正７】
【補正対象書類名】明細書
【補正対象項目名】０１８３
【補正方法】変更
【補正の内容】
【０１８３】
第1の切り替え時間が、RTT時間に含まれる場合に、第1のガード期間は、RTT時間に等しい。端末が第1のガード期間内では信号を処理しないことが定義され、したがって、端末がダウンリンクからアップリンクへの切り替えの第1に切り替え時間内に端末の挙動を決定できない事態が回避される。実際、第1の切り替え時間において、端末は、周波数および電力を調整しており、端末はデータを送信することとも、データを受信することもできず、このことは従来技術と異なり、従来技術では、アップリンクサブフレームの送信の成功を保証するために、端末が、ラウンドトリップタイムにおいてアップリンクデータを送信することはできるが、データを受信することができないことが指定され、この実施形態では、端末は、第1のガード期間においてダウンリンクデータを受信することも、アップリンクデータを送信することもできない。
【手続補正８】
【補正対象書類名】明細書
【補正対象項目名】０１９２
【補正方法】変更
【補正の内容】
【０１９２】
端末は、発振器を使用してダウンリンク周波数およびアップリンク周波数を維持するので、端末が、アップリンクからダウンリンクに切り替わるときに、発振器は、周波数をアップリンク周波数からダウンリンク周波数に切り替える必要があり、調整時間は、発振器がアップリンク周波数からダウンリンク周波数に切り替わるときに生成される、すなわち、時間遅延は、発振器がアップリンク周波数からダウンリンク周波数に切り替わるときに生成される。この実施形態において、端末が第2のガード期間を生成するときに、発振器の周波数調整時間が考慮される。この実施形態では、端末は、ラウンドトリップタイムおよび第2の切り替え時間に従って第2のガード期間を生成し、第2の切り替え時間は、周波数調整時間および電力調整時間を含み、周波数調整時間は、端末の発振器によるアップリンク周波数からダウンリンク周波数への切り替えのための調整時間であり、電力調整時間は、端末の電力を0から送信電力まで調整するための調整時間である。
【手続補正９】
【補正対象書類名】明細書
【補正対象項目名】０２０３
【補正方法】変更
【補正の内容】
【０２０３】
第5の場合において、第2のガード期間は1ミリ秒よりも大きく、または等しく、第2のガード期間は、アップリンクサブフレームおよびアップリンクサブフレームの直前の隣接するアップリンクサブフレームと重なり合う、または第2のガード期間は、ダウンリンクサブフレームおよびダウンリンクサブフレームの直後の隣接するダウンリンクサブフレームと重なり合う。端末は、アップリンクサブフレームおよびアップリンクサブフレームの直前の隣接するアップリンクサブフレームにおいてアップリンク信号を送信せず、基地局は、アップリンクサブフレームにおいて端末をスケジュールし得ない。代替的に、端末は、ダウンリンクサブフレームおよびダウンリンクサブフレームの直後の隣接するダウンリンクサブフレームにおいてダウンリンク信号を受信せず、基地局は、ダウンリンクサブフレームにおいて端末をスケジュールし得ない。